(57)【要約】【課題】信仰や仏事に捕らわれず、各人の願いを気軽で自由に祈ることができる空間を提供するとともに、故人の写真や遺品、ペットなどの遺品などの配置を手軽で自由に変更することができる祈り箱を提供する。【解決手段】  内部に思い出の品等を収納し、気持ちや思い、願いを飾るための祈り箱１であって、一対の側板２，２と、上板３と、下板４と、背板５で、前面が開口する本体部８を形成し、この本体部８の前面開口７を、開閉部材１５で開閉できるようにし、この開閉部材１５が閉じた状態で内部を視認できるようにし、前記背板５は、磁性を有する金属部材を有し、前記背５板の前面に対して磁石１３を用いて、棚などの取付部材１０を取り外し可能に取り付けることができるようにした。【選択図】  図２
2020171371.tif 000002
【特許請求の範囲】
【請求項１】
内部に思い出の品等を収納し、気持ちや思い、願いを飾るための祈り箱であって、
一対の側板と、上板と、下板と、背板で、前面に開口部を有する本体部を形成し、
この本体部の開口部を、開閉部材で開閉できるようにし、この開閉部材が閉じた状態で内部を視認できるようにし、
前記背板は、磁性を有する金属部材を有し、前記背板の前面に対して磁石を用いて、棚などの取付部材を取り外し可能に取り付けることができるようにしたことを特徴とする祈り箱。
【発明の詳細な説明】
【技術分野】
【０００１】
本発明は、祈り箱に関する。
【背景技術】
【０００２】
近年、故人や亡くなったペットを身近に感じることができるように、仏壇を、リビングに設置することが増えてきているため、リビング内の装飾に合うように、家具調の仏壇が提案されている。
【０００３】
また、リビング等において、設置場所を任意に設定することができるとともに、移動が容易な仏壇として、側板と、この側板の上端と下端に設けた天井と底板で構成するとともに、前方に開口部を有する内部空間を形成したものが知られている（特許文献１）参照。
【先行技術文献】
【特許文献】
【０００４】
【特許文献１】実用新案登録第３２１２２６８号公報
【発明の概要】
【発明が解決しようとする課題】
【０００５】
しかし、従来の仏壇においては、故人の写真や遺品、ペットなどの遺品などを、予め決められた位置や高さにしか飾ることができず、その配置の自由度が低いという問題があった。
【０００６】
そこで、本発明は、信仰や仏事に捕らわれず、各人の願いを気軽で自由に飾ることができる空間を提供するとともに、故人の写真や遺品、ペットなどの遺品などの位置や高さ、配置を手軽に変更でき、配置の自由度の高い祈り箱を提供することを目的とするものである。
【課題を解決するための手段】
【０００７】
前記の課題を解決するために、請求項１記載の発明は、内部に思い出の品等を収納し、気持ちや思い、願いを飾るための祈り箱であって、
一対の側板と、上板と、下板と、背板で、前面に開口部を有する本体部を形成し、
この本体部の開口部を、開閉部材で開閉できるようにし、この開閉部材が閉じた状態で内部を視認できるようにし、
前記背板は、磁性を有する金属部材を有し、前記背板の前面に対して磁石を用いて、棚などの取付部材を取り外し可能に取り付けることができるようにしたことを特徴とするものである。
【発明の効果】
【０００８】
本発明によれば、背板に磁性を有する金属部材を設け、この背板の前面に対して磁石を用いて、棚などの取付部材を取り外し可能に取り付けることができるようにしたことにより、前記従来のものと比較して、本体部をコンパクトに形成できるとともに、本体部内に、故人の写真や遺品や、ペットなどの遺品などを、高い自由度で配置できるとともに、手軽にその位置や高さ、配置を変更することができる。
【図面の簡単な説明】
【０００９】
【図１】本発明の実施例を示す祈り箱の正面図。
【図２】図１の状態から開閉部材を取り外した状態の正面図。
【図３】図１の上面図。
【図４】図１の右側面図。
【図５】図２の斜視図。
【図６】図２のＡ−Ａ線断面図。
【図７】図６の部分拡大図。
【発明を実施するための形態】
【００１０】
本発明を実施するための形態を図に基づいて説明する。
【００１１】
図１は祈り箱１の正面図である。この祈り箱１は、リビング等の任意の場所に設置することができるとともに、その内部に、位牌等の仏具、故人の写真や遺品、ペットなどの遺品などを収納し、信仰や仏事に捕らわれず、それぞれの人の気持ちや想い、願いなどを自由に飾るためのものである。
【００１２】
祈り箱１は、図１〜図３に示すように、左右に一対の側板２，２を有し、この側板２，２の上端間に架設した上板３と、下端間に架設した下板４が設けられ、側板２，２間の後部には背板５が設けられている。左右の側板２，２、上板３、下板４、背板５により、前面に開口部７が設けられた本体部８が形成されている。本実施例では、本体部８を、図５に示すように、桝状の形を縦に起こしたようなシンプルな形状で構成した。
【００１３】
本体部８の内部には収納空間９が形成されている。本体部８は任意の部材で構成することができるが、本実施例では木材で構成した。
【００１４】
背板５における基部５ａの前側部には、図７に示すように、磁性を有する金属部材５ｂを張設した。本実施例では金属部材５ｂとして薄いスチール板を用い、スチール板を基部５ａの前側全体に張設し、スチール板の前面側には、木目柄のシートを張設した。これにより、背板５の前面５ｃの任意の場所に、磁石を取り外し可能に取り付けることができるようになっている。なお、背板５の前面５ｃに磁石を取り外し可能に取り付けることができれば、背板５における磁性を有する金属部材５ｂを設ける位置等は任意に設定することができる。
【００１５】
下板４における開口部７側部の上面には、図５，図６に示すように、その横方向（左右方向）全体に亘って、有底状の溝部４ａが上方のみに開口するように形成されている。
【００１６】
上板３における前端部の左右方向の中央部には、磁石３ａが、外部から視認できないように埋設されている。
【００１７】
背板５の前面５ｃの任意の場所に、図２、図６に示すように、取付部材１０である棚板１１やフック１２を、その後部に固設した磁石１３を用いて、取り外し可能に取り付けることができるようになっている。本実施例では、磁石１３としてネオジウム磁石を用いた。
【００１８】
本実施例では、取付部材１０を、棚板１１とフック１２で構成したが、磁石１３を用いて背板５の前面５ｃに取り外し可能に取り付けることができれば任意の部材を用いることができる。
【００１９】
本体部８の開口部７は、透明の部材で構成された開閉部材１５により開閉できるようになっている。開閉部材１５を、その下端部を溝部４ａ内に挿入した後に、開閉部材１５の上端部に設けた持ち手部１５ａにおける磁性を有する金属部材を、上板３の磁石３ａに取付けることにより、開閉部材１５を、本体部８の開口部７を閉塞するとともに、取り外し可能に吸着させることができ、この閉塞部材１５により、本体部８の開口部７を開閉できるようになっている。開閉部材１５は、透明の部材で構成されており、この開閉部材１５により本体部８の開口部７を閉塞した状態においても、開閉部材１５を通して、外部から本体部８の収納空間９内を視認できるようになっている。
【００２０】
上記のように、開閉部材１５を、蝶番を用いることなく着脱できるとともに、取付部材１０を、磁石１３により背板５の前面５ｃの任意の場所に取付けることができるようにしたことにより、本体部８の構造を簡略化でき製造コストを低減できるとともに、容易に小型化することができ、更に、蝶番などの金物が外部から視認されないように、祈り箱１を構成することができる。
【００２１】
また、磁石１３を用いて、背板５の前面５ｃの任意の場所に取付部材１０を取付けることができるため、取付部材１０の取付位置や高さ等を変更するための取付穴等が不要となり、背板５の前面５ｃをフラットに構成することができ、祈り箱１の美観を向上することができる。
【００２２】
上記の構造により、下板４の上や、取付部材１０である棚板１１やフック１２に、位牌等の仏具、故人の写真や遺品、ペットなどの遺品などを高い自由度で飾ることができ、磁石１３等によりその位置を保持することができる。また、これらの位置や高さ、配置などを手軽に変更することができる。
【符号の説明】
【００２３】
１  祈り箱
２  側板
３  上板
４  下板
５  背板
５ａ  前面
８  本体部
１０  取付部材
１５  開閉部材
【図１】
2020171371.tif 000003
【図２】
2020171371.tif 000004
【図３】
2020171371.tif 000005
【図４】
2020171371.tif 000006
【図５】
2020171371.tif 000007
【図６】
2020171371.tif 000008
【図７】
2020171371.tif 000009